【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
光源から射出された検出光が照射される被験者の顔の画像データを取得する画像データ取得部と、
前記画像データに基づいて前記被験者の視線を検出する視線検出部と、
前記画像データを画像処理して前記顔の特徴部画像及び前記顔に装着されたメガネにおける前記光源の反射像を示すメガネ反射画像を生成する画像処理部と、
前記特徴部画像と前記メガネ反射画像とが合成された合成画像において、前記特徴部画像と前記メガネ反射画像とを異なる表示形態で表示装置に表示させる表示制御部と、
を備える視線検出装置。
【請求項２】
前記表示形態は、輝度、色、明度、及び彩度の少なくとも一つを含む、
請求項１に記載の視線検出装置。
【請求項３】
前記特徴部画像は、前記顔における輪郭画像を含む、
請求項１又は請求項２に記載の視線検出装置。
【請求項４】
前記表示制御部は、前記メガネ反射画像を前記特徴部画像よりも高輝度で前記表示装置に表示させる、
請求項１又は請求項３に記載の視線検出装置。
【請求項５】
第１閾値及び前記第１閾値よりも高い第２閾値が規定され、
前記画像処理部は、前記第２閾値以上の高輝度の前記メガネ反射画像を生成し、前記第１閾値以下の低輝度の前記特徴部画像を生成する、
請求項１、請求項３又は請求項４に記載の視線検出装置。
【請求項６】
前記画像データ取得部は、前記検出光で照明された前記顔を撮影するカメラから前記画像データを取得し、
前記画像処理部は、前記カメラで取得された第１の露光量の前記画像データと、前記第１の露光量よりも小さい第２の露光量の画像データとに基づいて、前記特徴部画像及び前記メガネ反射画像を生成する、
請求項１から請求項５のいずれか一項に記載の視線検出装置。
【請求項７】
前記光源の発光強度及び前記光源の発光時間を制御する光源制御部と、
前記カメラにおける前記検出光の露出値を制御するカメラ制御部と、を備え、
前記画像データの露光量は、前記光源の発光強度、前記光源の発光時間、及び前記カメラの露出値の少なくとも一つに基づいて調整される、
請求項６に記載の視線検出装置。
【請求項８】
前記画像処理部は、前記光源から第１光量の前記検出光が射出されたときに取得された前記画像データと、前記光源から前記第１光量よりも大きい第２光量の前記検出光が射出されたときに取得された前記画像データとに基づいて、前記特徴部画像及び前記メガネ反射画像を生成し、
前記光源は、異なる位置に配置された第１光源及び第２光源を含み、
前記第１光源から第１光量の前記検出光が射出され、前記第２光源から前記第２光量の前記検出光が射出され、
前記第１光源と前記第２光源とは前記検出光を交互に射出する、
請求項１から請求項５のいずれか一項に記載の視線検出装置。
【請求項９】
前記表示装置の表示画面と前記顔との距離データを取得する距離データ取得部を備え、
前記表示制御部は、前記距離データを前記表示装置に表示させる、
請求項１から請求項８のいずれか一項に記載の視線検出装置。
【請求項１０】
前記表示制御部は、前記表示装置の表示画面において寸法及び位置が固定されたガイド線を前記表示装置に表示させる、
請求項１から請求項９のいずれか一項に記載の視線検出装置。 
【請求項１１】
光源から射出された検出光が照射される被験者の顔の画像データを取得することと、
前記画像データを画像処理して前記顔の特徴部画像及び前記顔に装着されたメガネにおける前記光源の反射像を示すメガネ反射画像を生成することと、
前記特徴部画像と前記メガネ反射画像とが合成された合成画像において、前記特徴部画像と前記メガネ反射画像とを異なる表示形態で表示装置に表示させることと、
前記画像データに基づいて前記被験者の視線を検出することと、
を含む視線検出方法。 
【請求項１２】
コンピュータに、
光源から射出された検出光が照射される被験者の顔の画像データを取得することと、
前記画像データを画像処理して前記顔の特徴部画像及び前記顔に装着されたメガネにおける前記光源の反射像を示すメガネ反射画像を生成することと、
前記特徴部画像と前記メガネ反射画像とが合成された合成画像において、前記特徴部画像と前記メガネ反射画像とを異なる表示形態で表示装置に表示させることと、
前記画像データに基づいて前記被験者の視線を検出することと、
を実行させるコンピュータプログラム。
【手続補正２】
【補正対象書類名】明細書
【補正対象項目名】００１３
【補正方法】変更
【補正の内容】
【００１３】
表示装置１０１は、液晶ディスプレイ（ＬＣＤ：liquid  crystal  display）又は有機ＥＬディスプレイ（ＯＥＬＤ：organic  electroluminescence  display）のようなフラットパネルディスプレイを含む。
【手続補正３】
【補正対象書類名】明細書
【補正対象項目名】００１４
【補正方法】変更
【補正の内容】
【００１４】
本実施形態において、表示装置１０１の表示画面１０１Ｓは、ＸＹ平面と実質的に平行である。Ｘ軸方向は表示画面１０１Ｓの左右方向であり、Ｙ軸方向は表示画面１０１Ｓの上下方向であり、Ｚ軸方向は表示画面１０１Ｓと直交する奥行方向である。
【手続補正４】
【補正対象書類名】明細書
【補正対象項目名】００８３
【補正方法】変更
【補正の内容】
【００８３】
第２表示領域１０１Ｂには、例えば幼児健診においてアニメーションが表示される。幼児健診においては、椅子に腰掛けた保護者の膝の上に幼児が座った状態で、幼児の視線検出が実施される。視線検出装置１００と幼児の顔との相対位置は、保護者が幼児の顔の位置又は向きを調整したり、測定者が視線検出装置１００の位置又は向きを調整したりすることによって調整される。視線検出装置１００と幼児の顔との相対位置を調整する期間において、幼児を表示装置１０１に注視させるために、第２表示領域１０１Ｂには、幼児の注意を引き付けるアニメーションが表示される。なお、第２表示領域１０２Ｂに表示される表示データは、動画でもよいし静止画でもよい。幼児の注意を引き付けることができる表示データであればよい。
【手続補正５】
【補正対象書類名】明細書
【補正対象項目名】０１２９
【補正方法】変更
【補正の内容】
【０１２９】
本実施形態において、画像処理部２０６は、光源１０３から第１光量の検出光が射出されたときにステレオカメラ装置１０２で取得された被験者の顔の画像データと、光源１０３から第１光量よりも大きい第２光量の検出光が射出されたときにステレオカメラ装置１０２で取得された被験者の顔の画像データとに基づいて、輪郭画像１７４Ｍ及びメガネ反射画像１７２Ｍを生成する。
【手続補正６】
【補正対象書類名】明細書
【補正対象項目名】０１３６
【補正方法】変更
【補正の内容】
【０１３６】
本実施形態においては、位置合わせ支援処理において、第１カメラ１０２Ａで取得された画像データに基づいて輪郭画像１７４Ｍが生成され、第２カメラ１０２Ｂで取得された画像データに基づいてメガネ反射画像１７２Ｍが生成される。換言すれば、第２光源１０３Ｂから射出された大光量の検出光が照射された被験者の顔の画像データに基づいて輪郭画像１７４Ｍが生成され、第１光源１０３Ａから射出された小光量の検出光が照射された被験者の顔の画像データに基づいてメガネ反射画像１７２Ｍが生成される。